(57)【要約】【課題】本発明の第１の目的は、コインの選別精度を向上することである。本発明の第２の目的は、コインのサイズが変更された場合、キャンセル部の動作タイミングを変更しなくとも良いようにすることである。【解決手段】コインが転がるコイン通路を形成するガイドレール、前記ガイドレール上を転がるコインを選別する非キャンセル位置とキャンセル位置に移動可能なゲージ装置、前記ゲージ装置の下流に配置され、コイン通路内のコインの半径よりもガイドレールから遠いキャンセル位置とコイン通路外の非キャンセル位置に前記ゲージ装置と連動して移動可能なストッパ、を含むコイン選別装置のコインキャンセル装置である。【選択図】図１
2004310604.tif 000002
【特許請求の範囲】
【請求項１】
コイン（１４）が転がるコイン通路（１０８）を形成するガイドレール（２２）、前記ガイドレール（２２）上を転がるコイン（１４）を選別する非キャンセル位置（１３３）とキャンセル位置（１３５）に移動可能なゲージ装置（１６）、前記ゲージ装置（１６）の下流に配置され、コイン通路（１０８）内のコインの半径よりもガイドレール（２２）から遠いキャンセル位置（１４３）とコイン通路（１０８）外の非キャンセル位置（１４５）に前記ゲージ装置（１６）と連動して移動可能なストッパ（２８）、を含むコイン選別装置のコインキャンセル装置。
【請求項２】
前記ストッパ（２８）の下流にコインセンサ（１６４）を配置し、前記コインセンサ（１６４）の検知信号に基づいて、前記ゲージ装置（１６）及びストッパ（２８）を前記非キャンセル位置（１３３、１４５）から前記キャンセル位置（１３５、１４３）へ移動させる請求項１のコイン選別装置のコインキャンセル装置。
【請求項３】
投入口（１２）から出口（１８）へコイン（１４）を案内するガイドレール（２２）と、前記ガイドレール（２２）と平行に所定の間隔で配置された大径ゲージ（２４）と、前記大径ゲージ（２４）の側方に前記ガイドレール（２２）と平行に配置された枢軸（１２６）を支点に枢軸運動可能な小径ゲージ（２６）と、前記小径ゲージ（２６）を非キャンセル位置（１３３）に保持するストップ片（１５８）と、前記小径ゲージ（２６）を非キャンセル位置（１３３）とキャンセル位置（１３５）に移動させる移動装置（３０）と、前記小径ゲージ（２６）から前記ガイドレール（２２）側に伸びるレバー（１３５）からコイン通路（１０８）内のコインの半径よりもガイドレール（２２）から遠いキャンセル位置（１４３）とコイン通路（１０８）外の非キャンセル位置（１４５）に前記小径ゲージ（２６）に連動して移動可能なストッパ（２８）、を含むコイン選別装置のコインキャンセル装置。
【請求項４】
コイン（１４）が転がるコイン通路（１０８）を形成するガイドレール（２２）、前記ガイドレール（２２）上を転がるコイン（１４）を選別するゲージ装置（１６）、前記ゲージ装置（１６）の下流に配置され、コイン通路（１０８）内のコインの半径よりもガイドレール（２２）から遠いキャンセル位置（１４３）とコイン（１０８）通路外の非キャンセル位置（１４５）に移動可能なストッパ（２８）、前記ゲージ装置（１６）及びストッパ（２８）を前記キャンセル位置（１３５、１４３）と前記非キャンセル位置（１３３、１４５）に移動するソレノイド（１５０）、前記ストッパ（２８）の下流の前記コイン通路（１０８）に沿って配置されたコイン（１４）のセンサ（１６４）、前記センサ（１６４）のコイン検知に基づいて前記ソレノイド（１５０）を消磁して前記ストッパ（２８）を前記キャンセル位置（１４３）に移動させるキャンセル回路（１６９）、を含むコイン選別装置のコインキャンセル装置。
【発明の詳細な説明】
【０００１】
【発明が属する技術分野】
本発明は、コイン、トークン、メダル等のコインまたは代用コインを機械的に真正コインと偽コインとに選別するコインの選別装置に関する。
特に、パチスロ等のゲーム機に使用するコイン選別装置の改良に関する。
なお、本明細書で使用する「コイン」は、通貨であるコイン、メダル、代用コイン及び、それらと類似のものを包含する。
【０００２】
【従来の技術】
従来のゲーム機に使用するコイン選別装置は、投入口、ガイドレール、固定のゲージ部、キャンセル片、出口及びコインカウント用のセンサがそれぞれ個別に設けられていた。例えば、特許第２７４２７５５号参照。
この従来技術において、ガイドレールと固定ゲージ部は所定の間隔に設定され、コイン面に対して傾斜するコインは、その上端部側面を固定ゲージに支えられつつガイドレール上を転がる。
また、ガイドレールを転がるコインに対し、そのガイドレールからほぼコインの半径離れた位置に突出するキャンセル片が知られている（特開２０００−３４８２３１号参照）。
【０００３】
前者においてゲージ部よりも僅かに小さいコインがバウンドしながら転動する場合、そのコインは、バウンドしたときに固定のゲージ部によって案内されて分離されないという懸念がある。
この懸念を減少するため、コインサイズが変更になった場合、ゲージ部の調整を正確に調整する必要があった。
後者においては、コインがバウンドした場合、キャンセル片を乗り越えてしまい、分離されない懸念がある。
【０００４】
【発明が解決しようとする課題】
本発明の第１の目的は、コインの選別精度を向上することである。
本発明の第２の目的は、コインのサイズが変更された場合、キャンセル部の動作タイミングを変更しなくとも良いようにすることである。
【０００５】
【課題を解決するための手段】
この目的を達成するため、請求項１の発明は以下のように構成されている。
コインが転がるコイン通路を形成するガイドレール、前記ガイドレール上を転がるコインを選別する非キャンセル位置とキャンセル位置に移動可能なゲージ装置、前記ゲージ装置の下流に配置され、コイン通路内のコインの半径よりもガイドレールから遠いキャンセル位置とコイン通路外の非キャンセル位置に前記ゲージ装置と連動して移動可能なストッパ、を含むコイン選別装置のコインキャンセル装置である。
【０００６】
この構成において、コインを受け入れない場合、ゲージ装置及びストッパは、キャンセル位置へ移動される。
そのため、コインの真偽を判定するゲージ装置は、真正コインをガイドしないので、ガイドレール上を転がるコインは、バランスが崩れてガイドレール上から落下し、キャンセルされる。
稀にゲージ装置を通過した場合であっても、コイン通路においてコイン半径よりもガイドレールから離れて位置するストッパに衝突し、バランスが崩れてガイドレールから落下する。
この衝突時、ストッパはコインの上向き周面と接触するので、コインは下方に押され、ガイドレールに押しつけられる。
換言すれば、コインはストッパを乗り越えることが無い。
結果として、コインは、確実にキャンセルされる。
【０００７】
また、コインがキャンセルされる場合、コインはゲージ装置によって支えられずに倒れ、ガイドレールの側方に逸れて落下するので、後続のコインが落下途中のコインに載って出口へ案内されない。
換言すれば、キャンセルされるべきコインが受け入れられてしまう「呑み込み」は発生しない。
【０００８】
請求項２の発明は、前記ストッパの下流にコインセンサを配置し、前記コインセンサの検知信号に基づいて、前記ゲージ装置及びストッパを前記非キャンセル位置から前記キャンセル位置へ移動させることが好ましい。
【０００９】
この構成において、ストッパの下流に配置したコインセンサの検知信号に基づいてゲージ装置及びストッパが非キャンセル位置からキャンセル位置へ移動される。
換言すれば、ゲージ装置及びストッパはゲージ装置を通過した前のコインの検知信号に基づいて次のコインをキャンセルするため、キャンセル位置に移動される。
したがって、移動装置の作動に十分な時間を取ることができるので、安価なソレノイドを用いても移動に十分な時間を確保できるので、安価に構成することができる。
【００１０】
請求項３の発明は、投入口から出口へコインを案内するガイドレールと、前記ガイドレールと平行に所定の間隔で配置された大径ゲージと、前記大径ゲージの側方に前記ガイドレールと平行に配置された枢軸を支点に枢軸運動可能な小径ゲージと、前記小径ゲージを非キャンセル位置に保持するストップ片と、前記小径ゲージを非キャンセル位置とキャンセル位置に移動させる移動装置と、前記小径ゲージから前記ガイドレール側に伸びるレバーからコイン通路内のコインの半径よりもガイドレールから遠いキャンセル位置とコイン通路外の非キャンセル位置に前記小径ゲージに連動して移動可能なストッパ、を含むコイン選別装置のコインキャンセル装置である。
【００１１】
この構成において、真正コインより大径のコインの場合、大径ゲージによりキャンセルされる。
また、真正コインよりも小径コインの場合、小径ゲージにより案内されないのでガイドレールから落下し、キャンセルされる。
このとき、小径ゲージはストップ片によってその位置を保持されるので選別が安定して行われる。
【００１２】
真正コインの場合、コインは傾いてガイドレール上を転がるとともにその上端部側面が小径ゲージにより案内されて受け入れられる。
真正コインをキャンセルする場合、枢軸を支点に小径ゲージがピボット運動してキャンセル位置へ移動するとともに、一体のストッパが非キャンセル位置からキャンセル位置へ移動する。
これにより、真正コインは、小径ガイドにより支えられなくなるのでガイドレールの途中で落下し、落下しない場合は最終的にストッパによりストップされてキャンセルされる。
このとき、ストッパは、真正コインの半径よりも上側に接触するので、真正コインはガイドレール側へ向かう力を受け、ストッパを乗り越えることなく確実にキャンセルされる。
【００１３】
請求項４の発明は、コインが転がるコイン通路を形成するガイドレール、前記ガイドレール上を転がるコインを選別するゲージ装置、前記ゲージ装置の下流に配置され、コイン通路内のコインの半径よりもガイドレールから遠いキャンセル位置とコイン通路外の非キャンセル位置に移動可能なストッパ、前記ゲージ装置及びストッパを前記キャンセル位置と前記非キャンセル位置に移動するソレノイド、前記ストッパの下流の前記コイン通路に沿って配置されたコインのセンサ、前記センサのコイン検知に基づいて前記ソレノイドを消磁して前記ストッパを前記キャンセル位置に移動させるキャンセル回路、を含むコイン選別装置のコインキャンセル装置である。
【００１４】
この構造において、ストッパは、ストッパの下流に配置したセンサの検知に基づいて作動されるソレノイドによってキャンセル位置に移動される。
換言すれば、センサによって検知されたコインに続いて転がるコインがストッパにストップされてキャンセルされる。
このケースにおいて、ストッパは前のコインのセンサによる検知に基づいて移動されるので、次のコインが連なっている場合であっても、前のコインと次のコインの間に突入するよう設定できる。
したがって、コインが連なっている場合であっても、確実にコインをキャンセルすることができる。
【００１５】
【発明の実施の形態】
図１は、本発明の実施例のカバーを外した状態の正面図である。
図２は、本発明の実施例の正面上方からの分解斜視図である。
図３は、本発明の実施例の背面上方からの分解斜視図である。
図４は、本発明の実施例の背面図である。
図５は、図１におけるＡ―Ａ断面図である。
図６は、図１におけるＢ―Ｂ断面図である。
図７は、図１におけるＣ―Ｃ断面図である。
図８は、本発明の実施例のストッパと小径ゲージの斜視図である。
図９は、本発明の実施例の作用説明用のタイミングチャートである。
【００１６】
図１に示すように、コイン選別装置１０は投入口１２に投入されたコイン１４をゲージ装置１６で選別し、真正コインを出口１８から排出し、偽コイン及び受け入れしない真正コインをキャンセル部２０から排出する。
本発明にかかるコインの選別装置１０は、ガイドレール２２、ゲージ装置１６（大径ゲージ２４、小径ゲージ２６）、ストッパ２８及びストッパ２８の移動装置３０（図４参照）を含んでいる。
【００１７】
ガイドレール２２は、ベース３２に形成され、コイン１４を案内する機能を有している。
ベース３２は、その左端取り付け部３４と右端取り付け部３６がゲーム機の垂直壁（図示せず）に固定されている。
図１に示すように、ベース３２は逆Ｊ形であって耐摩耗性の樹脂により一体成型されている。
ベース３２には垂直面３８、湾曲面４０及び傾斜面４２を含むコイン案内面４４が形成されている。
【００１８】
垂直面３８は、鉛直方向に伸びている。
傾斜面４２は、図５及び６に示すように、水平線に対し約７０度傾いている。
すなわち、コイン１４はその表面及び裏面が傾いた状態でガイドレール２２上を転動する。
湾曲面４０は、垂直面３８と傾斜面４２を緩やかなカーブで接続し、かつ、傾斜面４２同様に水平線に対し約７０度傾いている。
【００１９】
垂直面３８の下端と湾曲面４０の上端は、滑らかな曲面によって接続されている。
コイン案内面４４は、コイン１４を投入口１２から出口１８へ案内する機能を有していればよい。
したがって、コイン１４に対する摩擦抵抗を減少するため、コイン案内面４４にその進行方向に向かって伸びる溝又は突起を形成することができる。
【００２０】
次にガイドレール２２の構造を説明する。
ガイドレール２２は、コイン案内面４４に対し直角をなし、かつ、大部分において幅がコイン１４の厚みより僅かに大きく形成されている。
ガイドレール２２は、垂直ガイドレール４５、弧状ガイドレール４６及び傾斜ガイドレール４８を含んでいる。
【００２１】
傾斜ガイドレール４８は、傾斜面４２に相対位置し、ベース３２と一体に成形され、図１において右下がりに傾斜し、コイン１４はその上を重力で転がり落ちることができる。
弧状ガイドレール４６は、弧状ガイド面５０を有する三日月形であって、ステンレス等の金属で作られ、スクリュウ５２によって湾曲面４０に相対してベース３２に固定されている。
弧状ガイドレール４６を金属で作る理由は、弧状ガイド面５０がコイン１４の重量に加え遠心力を受けるので、コイン１４の接触圧が高まることによる摩耗を防止するためである。
弧状ガイド面５０は、傾斜ガイドレール４８に実質的に連続している。
【００２２】
垂直ガイドレール４５は、ベース３２と一体に成形され、垂直面３８に相対位置し、弧状ガイド面５０に実質的に連続している。
弧状ガイドレール４６は、傾斜ガイドレール４８及び垂直ガイドレール４５と一体に樹脂にて成形してもよい。
この場合、少なくとも弧状ガイドレール４６の弧状ガイド面５０に金属板等の耐摩耗性を有する材料で作った磨耗防止板を貼り付ける必要がある。
金属製の弧状ガイドレール４６を使用した場合、耐摩耗性を有する樹脂を使用するより安価である。
【００２３】
コイン１４は、垂直ガイドレール４５に沿って落下した後、弧状ガイドレール４６の弧状ガイド面５０で案内されて方向転換され、傾斜ガイドレール４８へ移った後、その上を転がって出口１８に達する。
なお、塵埃の付着によるコインの転がり不良を防止するため、ガイドレール２２の長手方向に溝を形成してもよい。
【００２４】
次に図３を参照してカバー５４を説明する。
カバー５４は、垂直面３８、湾曲面４０及び傾斜面４２に相対位置し、コイン１４を案内する機能を有する。
前記垂直面３８、湾曲面４０及び傾斜面４２に相対してカバー５４にカバー垂直面５６、カバー湾曲面５８、カバー傾斜面６０及びカバー垂直ガイド６２が形成されている。
カバー５４は、その上端のＵ状の挿入部６４を押出片６６上部の挿入口６８（図２参照）に挿入し、押出片６６と一体にピボット運動可能に取り付けられている。
図１に示すように、押出片６６はベース３２の傾斜面４２の上方の軸受７０にピボット運動可能に取り付けられている。
【００２５】
図３に示すように、カバー垂直面５６及びカバー湾曲面５８には、垂直面３８及び湾曲面４０との距離が異なる第１案内面７２と第２案内面７４が形成されている。
第１案内面７２はＪ形であって、垂直ガイドレール４５及び湾曲ガイドレール４６に沿うよう形成され、垂直面３８及び湾曲面４０との距離は、コイン１４の厚みよりも僅かに大きい。
第２案内面７４は、直線状であって、垂直ガイドレール４５及び弧状ガイドレール４６から遠い位置に形成され、垂直面３８及び湾曲面４０に対し、第１案内面７２よりも遠い位置に配置される。
押出片６６は、図５に示すように、断面横Ｖ形である。
【００２６】
図５に示すように、押出片６６の上端部とベース３２との間に配置した圧縮スプリング７６によって、押出片６６及びカバー５４は、反時計方向に回転力を与えられ、カバー５４がベース３２に近づくようにしている。
カバー５４とベース３２との間隔、すなわち、垂直面３８とカバー垂直面５６、湾曲面４０とカバー湾曲面５８及び傾斜面４２とカバー傾斜面６０との間隔は、カバー５４にねじ込んだスクリュウ７８（図２参照）の先端を弧状ガイドレール４６の側面のスクリュウ５２に突き当てることにより、コイン１４の厚みよりも僅かに広くなるように設定される。
【００２７】
次にゲージ装置１６を説明する。
ゲージ装置１６は、コインの直径を基に真正コインと偽コインを選別する機能を有する。
ゲージ装置１６は、図１及び図５に示すように、ほぼ台形状のゲージ板８０と、キャンセル片８２を含んでいる。
ゲージ板８０の端面の一部に、コイン１４のガイド面８４が形成されている。
ガイド面８４は、左側面の垂直ガイド８６と下面の傾斜ガイド８８及び垂直ガイド８６と傾斜ガイド８８とを接続する湾曲ガイド９０が形成されている。
【００２８】
垂直方向に伸びる垂直ガイド８６は、垂直ガイドレール４５及びカバー垂直ガイド６２に相対し、コイン１４の直径よりも僅かに離れている。
湾曲ガイド９０は、弧状ガイドレール４６に相対し、コイン１４の直径よりも僅かに離れている。
傾斜して伸びる傾斜ガイド８８は、傾斜ガイドレール４８に相対し、かつ、平行に配置されている。
【００２９】
真正コイン１４がスムースに通過できるよう、傾斜ガイドレール４８と傾斜ガイド８８の距離は、コイン１４の直径よりも僅かに離して配置されている。
この離した距離が、ゲージ板８０のその位置でのコイン１４の受け入れ許容最大径である。
すなわち、傾斜ガイド８８は大径ゲージ２４を兼ねている。
なお、本実施例において、この受け入れ許容最大径は小径コインに適応するゲージ板８０の位置と、大径コインに適応するゲージ板８０の位置においてそれぞれ設定される。
【００３０】
次に、図２を参照してゲージ板８０の取り付け装置９２を説明する。
ゲージ板８０は、取り付け装置９２によりベース３２の上部側面に取り付けられている。
取り付け装置９２は、ベース３２の取付部９４とゲージ板８０の取付部９５を含んでいる。
ゲージ板８０は、ピン状のベース取付部９４に孔状であるゲージ取付部９５を嵌め合わせることにより、ベース３２にワンタッチで着脱可能に取り付けられる。
【００３１】
ベース取付部９４は、左右一対配置されているが、同一構造であるので、図２において右側の装置を代表して説明する。
ベース取付部９４は、先端が円錐形であって基部が円柱状である第１保持ピン９６がベース３２に固定されている。
同様に形成した第２保持ピン９８が傾斜ガイドレール４８に対し４５度傾斜する直線Ｌ上に所定の間隔で配置されている（図１参照）。
【００３２】
ゲージ取付部９５は、前記第１保持ピン９６及び第２保持ピン９８に相対し、ゲージ板８０に形成した第１嵌合孔１００と第２嵌合孔１０２及び同一線上に配置された第３嵌合孔１０４及び保持体１０６とを含んでいる。
第１から第３嵌合孔１００、１０２、１０４は、前記第１保持ピン９６及び第２保持ピン９８の円柱部に密に填り合う直径に形成されている。
【００３３】
保持体１０６は、ゲージ板８０と一体に片持ち状態に形成されている。
保持体１０６の先端は、第２嵌合孔１０２に挿入された第１保持ピン９６又は第２保持ピン９８の周面に接触し、その弾力により押圧してゲージ板８０の位置を保持する。
また、第１保持ピン９６及び第２保持ピン９８の側面に形成した溝（図示せず）に保持体１０６の側面に形成したフック（図示せず）をフックし、ゲージ板８０の脱落を防止する。
【００３４】
保持体１０６は、ゲージ板８０をピン９６及び９８に保持する機能を有していればよく、他の構造を採用することができる。
図１に示すように第１保持ピン９６を第１嵌合孔１００、第２保持ピン９８を第２嵌合孔１０２に嵌合した場合、ゲージ板８０はガイドレール２２との距離が近くなるため、小径コインの選別位置に位置する。
【００３５】
第１保持ピン９６を第２嵌合孔１０２、第２保持ピン９８を第３嵌合孔１０４に嵌合した場合、ゲージ板８０はガイドレール２２との距離が遠くなるので、大径コインの選別位置に位置する。
すなわち、ゲージ板８０は直線Ｌに沿って垂直ガイドレール４５、弧状ガイドレール４６及び傾斜ガイドレール４８に対し、それぞれ同一距離接近し、又は、離れる。
【００３６】
したがって、ゲージ板８０の位置を変更した場合、コイン通路１０８の幅（コインの直径方向）は、垂直部通路１１０、湾曲部通路１１２及び傾斜部通路１１４の全てにおいて同一に調整される。
取付装置９２は、ゲージ板８０をベース３２に取り付ける機能を有する他の機構に変更することができる。
【００３７】
さらに、取付装置９２は、ゲージ板８０の位置を選別対象コインの直径に適合するよう位置変更する機能を有していることが好ましい。
したがって、取付装置９２は、ゲージ板８０を三段階以上又は無段階に位置調整可能に構成することができる。
【００３８】
次に図１を参照してコイン通路１０８を説明する。
コイン通路１０８は、ベース３２のコイン案内面４４、カバー５４のカバー案内面３１、ガイドレール２２及びゲージ板８０のガイド面８４で囲まれた通路である。
コイン通路１０８は、図１において逆Ｊ形であり、投入口１２からほぼ真下に伸びる垂直部通路１１０、湾曲部通路１１２及び右下がりの傾斜通路１１４を含んでいる。
【００３９】
次にキャンセル片８２を説明する。
キャンセル片８２は傾斜通路１１４に面して配置されている。
傾斜面４２に、傾斜ガイドレール４８及び傾斜ガイド８８に沿って矩形の窓１１６が形成されている。
図３に示すように、ベース３２の裏面の窓１１６の両側に、軸受１１８及び１２０が固定されている。
図５に示すように、軸受１１８と１２０には、それぞれ、傾斜面４２に対し直角方向に平行に伸びる大径ベアリング溝１２２、小径ベアリング溝１２４が形成してある。
【００４０】
図８に示すように、キャンセル片８２は板状であって両端部に円柱状の枢軸１２６が形成してある。
枢軸１２６は、傾斜ガイドレール４８及び傾斜ガイド８８に平行に、かつ図５に図示するように大径ゲージ２４の横に配置されている。
ここで、横とは、コイン通路１０８を含む平面に対し直交する方向である。
キャンセル片８２の先端１２８は、枢軸１２６を中心とする円弧に形成されている。
この円弧により、キャンセル片８２を微調整装置１３０（図６）で位置調整しても、その先端１２８は、枢軸１２６から同一距離になるため、真正コイン１４を同一姿勢で案内することができる。
【００４１】
枢軸１２６を小径ベアリング溝１２４に挿入し、押さえ板（図示せず）で保持してピボット運動可能に構成してある。
これにより、枢軸１２６は傾斜ガイドレール４８及び大径ゲージ２４である傾斜ガイド８８と平行に配置されている。
キャンセル片８２の先端１２８は、窓１１６内において、傾斜面４２を含む平面内の傾斜ガイド８８の近く配置されている。
【００４２】
先端１２８の下縁１３２の位置は、受け入れを許容する最小コインの直径分、換言すると、受け入れを許容しない小径のコインの直径分、傾斜ガイドレール４８から離れて配置される。
この位置が、小径ゲージ２６（キャンセル片８２）の非キャンセル位置１３３である。したがって、キャンセル片８２の先端１２８はゲージ板８０の側方に隣接して配置されている。
【００４３】
真正コイン１４が傾斜ガイドレール４８上を転がるとき、傾斜通路１１４は図５に示すように右側に傾いているので、それにならって傾き、かつ、下端部側面は傾斜面４２に支えられ、かつ、上端部側面はキャンセル片８２の先端１２８に支えられて出口１８に達することができる。
コイン１４の直径が受け入れを許容しない小径の場合、その上端部側面は先端１２８に支えられないので、図５に一点鎖線で示すように自重によって窓１１６内に倒れる。
【００４４】
結果として、コイン１４は、傾斜ガイドレール４８から外れてキャンセル部２０で落下する。
すなわち、キャンセル片８２は、小径ゲージ２６である。
キャンセル片８２は、真正コイン１４を傾斜ガイドレール４８から外す機能を有していればよい。
【００４５】
図７に示すように、キャンセル片８２のコインの下流側端部からアーム１３５が下方に突出し、その中間から傾斜通路１１４に向かってストッパ２８が突出している。    ストッパ２８は傾斜通路１１４に突入した場合、コイン１４の中心よりも傾斜ガイドレール４８から遠い位置に進退する。
換言すれば、キャンセル片８２がキャンセル位置１３５（図５において鎖線位置）に移動されたとき、ストッパ２８は傾斜通路１１４に移動してキャンセル位置１４３に位置してコイン１４の転動を強制的に阻止し、傾斜ガイドレール４８から落下させてキャンセルする。
【００４６】
また、キャンセル片８２が非キャンセル位置１３３にある通常時、ストッパ２８は先端が窓１１６内に位置して傾斜通路１１４から退避し、非キャンセル位置１４５に位置している。
ストッパ２８は、その上流側面１３７の下側に続く下向き面１３９が傾斜ガイドレール４８に対し傾斜している。
換言すると、コイン１４が下向き面１３９に衝突した場合、コイン１４に対し下方へ、したがって、傾斜ガイドレール４８に向かう反力が生じるようにしてコイン１４がストッパ２８を乗り越えることなく傾斜ガイドレール４８から落下するようにしてある。
【００４７】
下流側面１４１は、傾斜通路１１４に対しほぼ直交している。
もし、後述のセンサ１６４を通過した後、接続した糸によってコインを戻そうとした場合、そのコインの上向き円弧面が下流側面１４１の下縁に係止されて傾斜ガイドレール４８へ向かう反力を受けるので、コイン１４はストッパ２８を通過することができない。
結果として、コインの引き戻しによる不正は防止される。
【００４８】
次にキャンセル片８２の移動装置３０を説明する。
図４に示すように、移動装置３０はアクチュエータ１３４とリンク機構１３６を含んでいる。
リンク機構１３６は、スライド板１３８とリンク１４０を含んでいる。
スライド板１３８は、軸受１４２に沿って傾斜ガイドレール４８に対し直交方向にスライド可能に支持されている。
【００４９】
図６に示すように、スライド板１３８にベアリング溝１２２と平行に第１ガイド溝１４４及び第２ガイド溝１４６が形成され、キャンセル片８２の端面のピン１４８が小径コインに対応する第２ガイド溝１４６に挿入されている。
図４に示すように、アクチュエータ１３４は、ベース３２に固定されたソレノイド１５０、プランジャ１５２及びプランジャ１５２のリターンスプリング１５４を含んでいる。プランジャ１５２の先端にリンク１４０が固定され、リンク１４０の先端にスライド板１３８が固定されている。
【００５０】
したがって、ソレノイド１５０が励磁されない場合、プランジャ１５２はリターンスプリング１５４によって突出されているので、リンク１４０を介してスライド板１３８が上方に引き上げられる。
これにより、ガイド溝１４６及びピン１４８を介してキャンセル片８２は、図５において時計方向に移動され、キャンセル片８２の上面がベース３２のストッパ（図示せず）に突き当たって鎖線で示した非ガイド位置１３５に保持される。
【００５１】
結果として、真正コイン１４であっても、その上端部側面はキャンセル片８２の先端１２８によって支えられない。
したがって、コイン１４は窓１１６内に倒れ、そして、その下端周面は傾斜ガイドレール４８から外れて自重によってキャンセル部２０において落下する。
【００５２】
ソレノイド１５０が励磁されたとき、リンク機構１３６を介してキャンセル片８２は反時計方向に回動され、図６に示すようにスライド板１３８の下面１５６が調整スクリュウ（ストップ片）１５８の先端に突き当たり、傾斜ガイドレール４８から所定距離離れた非キャンセル位置１３３に移動され、保持される。
換言すると、図５に実線で示した非キャンセル位置１３３に保持される。
【００５３】
したがって、真正コイン１４は、その上端部側面がキャンセル片８２の先端１２８に支えられつつ出口１８へ向かってガイドされる。
受け入れを許容されない小径のコインは、その上端部側面が先端１２８に支えられないので、自重で窓１１６に倒れ、傾斜ガイドレール４８から外れて落下する。
受け入れを許容されない大径のコインは、傾斜ガイドレール４８と傾斜ガイド８８との間に詰まって転がることができない。
【００５４】
移動装置３０は、キャンセル片８２を非キャンセル位置１３３とキャンセル位置１３５に移動できる機能を有していればよい。
押出片６６の先端部１６０は、カバー５４が図５の位置から更に時計方向にピボット運動されたとき、窓１１６から傾斜通路１１４に進出し、そこにジャムしているコイン１４を押して傾斜ガイドレール４８から落下させ、キャンセルする。
このカバー５４の移動は、ゲーム機に装着されたキャンセルレバー（図示せず）の操作に連動するようリンクが構成される。
【００５５】
次にキャンセル片８２の小径ゲージ位置微調整装置１３０を説明する。
図６に示すようにこの小径ゲージ位置微調整装置１３０は、傾斜ガイドレール４８とキャンセル片８２の下縁１３２との距離を微調整する機能を有している。
すなわち、スライド板１３８の下面１５６にベース３２の下面にねじ込んだ位置調整スクリュウ１５８の先端が突き当たるように配置されている。
したがって、調整スクリュウ１５８がストッパ片である。
【００５６】
スライド板１３８は、キャンセル片８２に一体に形成したリターンスプリング１５４（図７参照）によって調整スクリュウ１５８側に付勢され、許容誤差によってキャンセル片８２が遊動しないようにしている。
したがって、キャンセル片８２の先端１２８の下縁１３２の位置は、調整スクリュウ１５８の先端位置によって決定される。
換言すれば、調整スクリュウ１５８のねじ込み量を変更することにより傾斜ガイドレール４８と先端１３２との距離を微調整することができる。
調整スクリュウ１５８は、ロックナット（図示せず）によりロックされる。
【００５７】
次にキャンセル片８２のゲージ位置調整装置１６２を説明する。
これは、キャンセル片８２が取り付け装置９２によって大きく位置調整されたとき、その位置に適合するようキャンセル片８２の位置を変更するために用いられる。
ゲージ位置調整装置１６２は、図６に示すベアリング溝１２２及び１２４である。
【００５８】
すなわち、枢軸１２６を大径ベアリング溝１２２に挿入替えし、かつ、調整スクリュウ１５８によってスライド板１３８の位置を変更し、新たなコインサイズに適合する位置にキャンセル片８２をセットする。
なお、コインサイズが一種類の場合、小径ベアリング溝１２４又は大径ベアリング溝１２２のみであってもよい。
大径コインと小径コインを選択して用いる場合、小径ベアリング溝１２４と大径ベアリング溝１２２をゲージ位置調整装置１６２として装着することが好ましい。
【００５９】
次にコイン１４の検知センサを図１及び図４を参照して説明する。
検知センサは、第１コインセンサ１６４と第２コインセンサ１６６を含んでいる。
ゲージ板８０の出口１８側の端面から傾斜ガイドレール４８に沿って伸びるステー１６８にワンタッチ固定手段（図示せず）によって固定されたブラケット１７０に第１コインセンサ１６４と第２コインセンサ１６６が固定されている。
すなわち、第１コインセンサ１６４がコイン１４の移動方向において、ゲージ装置１６の直ぐ下流に配置され、第２コインセンサ１６６はその下流に配置されている。
コインセンサ１６４および１６６は、一対のアームが傾斜通路１１４を挟んで投光部と受光部が対向している光電式である。
【００６０】
コインセンサ１６４、１６６は、コイン１４が傾斜通路１１４を転がるとき、コイン１４の上端部が光軸を遮ることを検知することによりコイン１４を検知する。
コインセンサ１６４、１６６は、前記構造から明らかなように、ゲージ板８０と一体化され、一緒に位置調整される。
【００６１】
この構成により、ゲージ板８０は直線Ｌに沿って位置調整されるため、コインサイズが変更された場合、コインセンサ１６４、１６６は傾斜ガイドレール４８に対し接近或いは離れるとともに、垂直ガイドレール４５に対しても接近或いは離れる。
結果として、コインサイズが変わっても同一タイミングでコイン１４は前記光軸を横切るので、コインセンサ１６４、１６６の位置を個別に位置調整したり、検知タイミングの変更をしなくともい。
【００６２】
また、コインセンサ１６４の検知信号に基づいて、キャンセル回路１６９を介して前記ソレノイド１５０が励磁される。
すなわち、キャンセル回路１６９は、図９に示すように、センサ１６４の検知信号Ｔ１から、所定時間ＴＤ遅らせてソレノイド１５０を消磁することにより、キャンセル片８２をキャンセル位置１３５に移動させ、かつ、ストッパ２８を傾斜通路１１４に突出させる。
前記遅れ時間ＴＤは、コイン１４が連続的に転がってきた場合、ストッパ２８がそれらの上側の扇形空間に突入できる時間である。
【００６３】
次に出口１８から排出されたコイン１４のガイド１７２を説明する。
ガイド１７２はベース３２の端面にワンタッチ固定手段により着脱自在に取り付けられている。
ガイド１７２が装着された場合、コイン１４が落下するガイド１７２の下端が実質的に出口になる。
【００６４】
ガイド１７２は、コインの傾斜下面側に背が高いガイド壁１７４が形成され、対向側はガイド壁１７４よりも低い壁１７６を形成した溝状であって、下面が緩やかに前方に向かって湾曲している。
壁１７６を低くすることによりコイン１４が、ガイド１７２で詰まることを防止している。
【００６５】
次に本実施例の作用を説明する。
キャンセル片８２は、図５に示すように小径コインに適応するよう取り付けられている。
すなわち、第１保持ピン９６は第１嵌合孔１００に、第２保持ピン９８は第２嵌合孔１０２に挿入されている。
まず、コイン１４の受け入れ状態にあり、かつ、真正コイン１４を投入口１２に投入したケースを説明する。
【００６６】
すなわち、ソレノイド１５０が励磁されてプランジャ１５２が引き下げられ、リンク１４０を介してスライド板１３８が同方向へ移動されて調整スクリュウ１５８の頂部にストップされている。
キャンセル片８２の先端１２８が図５に示すように真正コイン１４の上端部側面を案内する非キャンセル位置１３３に移動されている。
ストッパ２８は、傾斜通路１１４から外れた非キャンセル位置１４５に位置している。
【００６７】
コイン１４は垂直面３８、カバー垂直面５６、垂直ガイドレール４５及び垂直ガイド６２に案内されつつ落下する。
コイン１４は次に湾曲面４０とカバー湾曲面５８とにガイドされて水平線に対し約７０度（図５参照）傾けられた後、弧状ガイドレール４６及び傾斜ガイドレール４８上を転がって出口１８に達した後、ガイド１７２にガイドされて図示しないホッパに供給される。
【００６８】
換言すれば、コイン１４は、垂直部通路１１０及び湾曲部通路１１２において、その上下端部が垂直面３８と湾曲面４０とに接触し、中央部がカバー湾曲面５８に近づく。
換言すると、コイン１４の中央部はベース３２から離れる。
しかし、コイン１４の直径部は第２案内面７４側に位置しているため上下端が垂直面３８と湾曲面４０に接触せず、かつ、第１案内面７２と垂直面３８との間隔はコイン１４の厚みよりも僅かに大きい程度である。
【００６９】
結果、コイン１４は振動せずにスムースに落下する。
また、傾斜ガイドレール４８上を転がる場合、コイン１４の下端部側面は傾斜面４２にガイドされ、かつ、上端部側面はキャンセル片８２の先端１２８によって支えられるため、傾斜ガイドレール４８から落下しない。
ゲージ装置１６を通過したコイン１４は、第１コインセンサ１６４および第２コインセンサ１６６によって検知された後、出口１８からガイド１７２に転がり、その端部から図示しないホッパに落下する。
【００７０】
次に真正コインよりも大径のコイン１４が投入されたケースを説明する。
垂直通路１１０及び湾曲部通路１１２を通過した大径コイン１４は、傾斜ガイドレール４８と傾斜ガイド８８により挟まれて転がることができない、すなわち、傾斜通路１１４で停止される。
この場合、カバー５４及び押出片６６をピボット運動させることにより、押出片６６の下端部１６０でコイン１４を横方向に押しやり、傾斜ガイドレール４８から外して落下させ、キャンセルする。
【００７１】
受け入れ許容範囲よりも小さい小径コイン１４の場合、傾斜ガイドレール４８を転がるとき、その上端部側面がキャンセル片８２の先端１２８によって支えられないので窓１１６内に倒れる。
結果としてコイン１４は傾斜ガイドレール４８から外れて落下し、キャンセルされる。
【００７２】
さらに、コイン１４を受け入れしないとき、ソレノイド１５０が消磁され、リターンスプリング１５４によってプランジャ１５２、リンク１４０及びスライド板１３８が押し上げられ、キャンセル片８２が図５のキャンセル位置１３５になる。
さらにまた、ストッパ２８は、図７に示すように傾斜通路１１４に突出してキャンセル位置１４３に位置する。
この状態において投入された真正コイン１４は、その上端部側面をキャンセル片８２の先端１２８によって案内されないので窓１１６に倒れて傾斜ガイドレール４８から落下してキャンセルされる。
【００７３】
コイン１４が傾斜ガイドレール４８から落下しない場合、傾斜通路１１４に突出しているストッパ２８が、コイン１４をストップして傾斜ガイドレール４８から落下させる。
コイン１４がストッパ２８に衝突した場合、その上向き弧面がストッパ２８の下向面１３９に当接するので、コイン１４は反力により下方へ押され、ストッパ２８を乗り越えて通過することができない。
【００７４】
さらに、ストッパ２８のコイン１４と接触する下向面１３９は、傾斜ガイドレール４８の側方に向かう傾斜を有しているので、コイン１４が当接したとき傾斜通路１１４から側方へ押し出される力を受け、より確実にキャンセルすることができる。
また、ストッパ２８の先端は、先すぼまり状に形成されているので、コイン１４の周面に接触しそうなきわどいタイミングで傾斜通路１１４に突出した場合であっても、コイン１４をキャンセルすることができる。
【００７５】
【図面の簡単な説明】
【図１】図１は、本発明の実施例のカバーを外した状態の正面図である。
【図２】図２は、本発明の実施例の正面上方からの分解斜視図である。
【図３】図３は、本発明の実施例の背面上方からの分解斜視図である。
【図４】図４は、本発明の実施例の背面図である。
【図５】図５は、図１におけるＡ―Ａ断面図である。
【図６】図６は、図１におけるＢ―Ｂ断面図である。
【図７】図７は、図１におけるＣ―Ｃ断面図である。
【図８】図８は、本発明の実施例のストッパと小径ゲージの斜視図である。
【図９】図９は、本発明の実施例の作用説明用のタイミングチャートである。
【符号の説明】
１２  投入口
１４  コイン
１６  ゲージ装置
１８  出口
２２  ガイドレール
２４  大径ゲージ
２６  小径ゲージ
２８  ストッパ
３０  移動装置
１０８  コイン通路
１２６  枢軸
１３３  非キャンセル位置
１３４  レバー
１３５  キャンセル位置
１４３  キャンセル位置
１４５  非キャンセル位置
１５０  ソレノイド
１６４  コインセンサ
１６９  キャンセル回路
【図１】
2004310604.tif 000003
【図２】
2004310604.tif 000004
【図３】
2004310604.tif 000005
【図４】
2004310604.tif 000006
【図５】
2004310604.tif 000007
【図６】
2004310604.tif 000008
【図７】
2004310604.tif 000009
【図８】
2004310604.tif 000010
【図９】
2004310604.tif 000011